(57)【要約】【課題】  アプリケーション・ソフトウェアに予め対応付けておいたパラメータにより画質を自動的に切り換えることによって、選択されたアプリケーション・ソフトウェアに応じた適切な画質への切り換えが極めて容易にできる。【解決手段】  ビデオ回路７を調整するためのパラメータをアプリケーション・ソフトウェアごとに予め対応付けておき、アクティブ・アプリケーションを前記対応付けに基づき判別して前記パラメータによりビデオ回路７を調整する制御部１３を備えた。ユーザが意識することなく、選択されたアプリケーション・ソフトウェアに応じた適切な画質に自動的に切り換え可能であるので、ユーザに対する負担が極めて少なく、ディスプレイ装置の画質切換が極めて容易にできる。【選択図】        図１
2005165341.tif 000002
【特許請求の範囲】
【請求項１】
コンピュータに内蔵されたグラフィック・コントローラからの出力信号に基づきビデオ回路を介して画像を表示するディスプレイ装置において、
前記ビデオ回路を調整するためのパラメータをアプリケーション・ソフトウェアごとに予め対応付けておき、
前記コンピュータで実行され、かつユーザが選択したアプリケーション・ソフトウェアをアクティブ・アプリケーションとした場合、前記アクティブ・アプリケーションに応じた前記対応付けに基づくパラメータにより前記ビデオ回路を調整する制御手段を備えたことを特徴とするディスプレイ装置。
【請求項２】
コンピュータに内蔵されたグラフィック・コントローラからの出力信号に基づきビデオ回路を介して画像を表示するディスプレイ装置において、
前記ビデオ回路を調整するためのパラメータをアプリケーション・ソフトウェアの表示状態ごとに予め対応付けておき、
前記コンピュータで実行され、かつユーザが選択したアプリケーション・ソフトウェアをアクティブ・アプリケーションとした場合、前記アクティブ・アプリケーションの表示状態に応じた前記対応付けに基づくパラメータにより前記ビデオ回路を調整する制御手段を備えたことを特徴とするディスプレイ装置。
【請求項３】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行されるアプリケーション・ソフトウェアごとに前記ビデオ回路を調整するためのパラメータとを対応付けたパラメータ・テーブルを予め記憶する第１の記憶手段と、
前記コンピュータで実行され、かつユーザが選択したアプリケーション・ソフトウェアをアクティブ・アプリケーションとした場合、前記通信インターフェイスを介して前記アクティブ・アプリケーションを判別するとともに、前記パラメータ・テーブルに基づき前記アクティブ・アプリケーションに応じた前記パラメータにより前記ビデオ回路を調整する制御手段と、
を備えたことを特徴とするディスプレイ装置。
【請求項４】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、
前記コンピュータで実行され、かつユーザが選択したアプリケーション・ソフトウェアをアクティブ・アプリケーションとした場合、前記通信インターフェイスを介して前記アクティブ・アプリケーションを判別するとともに、前記画質モード・テーブルと前記パラメータ・テーブルに基づき前記アクティブ・アプリケーションに応じた前記パラメータにより前記ビデオ回路を調整する制御手段と、
を備えたことを特徴とするディスプレイ装置。
【請求項５】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行されるアプリケーション・ソフトウェアごとに前記ビデオ回路を調整するためのパラメータとを対応付けたパラメータ・テーブルを予め記憶する第１の記憶手段と、
前記コンピュータで実行され、かつユーザが選択したアプリケーション・ソフトウェアをアクティブ・アプリケーションとした場合、前記コンピュータによって判別されたアクティブ・アプリケーション情報を前記通信インターフェイスを介して受信し、このアクティブ・アプリケーション情報と前記パラメータ・テーブルとに基づいて前記アクティブ・アプリケーションに応じた前記パラメータにより前記ビデオ回路を調整する制御手段と、
を備えたことを特徴とするディスプレイ装置。
【請求項６】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、
前記コンピュータで実行され、かつユーザが選択したアプリケーション・ソフトウェアをアクティブ・アプリケーションとした場合、前記コンピュータによって判別されたアクティブ・アプリケーション情報を前記通信インターフェイスを介して受信し、このアクティブ・アプリケーション情報と、前記画質モード・テーブルと、前記パラメータ・テーブルとに基づき前記アクティブ・アプリケーションに応じた前記パラメータにより前記ビデオ回路を調整する制御手段と、
を備えたことを特徴とするディスプレイ装置。
【請求項７】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記ビデオ回路を調整するためのパラメータと画質モードとを対応付けたパラメータ・テーブルとを予め記憶する第１の記憶手段と、
アプリケーション・ソフトウェアと画質モードとを対応付けた画質モード・テーブルを予め記憶しているコンピュータで実行され、かつユーザが選択したアプリケーション・ソフトウェアをアクティブ・アプリケーションとした場合、前記コンピュータによって判別されて前記通信インターフェイスを介して受信したアクティブ・アプリケーションの画質モードと前記パラメータ・テーブルとに基づき前記アクティブ・アプリケーションに応じた前記パラメータにより前記ビデオ回路を調整する制御手段と、
を備えたことを特徴とするディスプレイ装置。
【請求項８】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行され、かつユーザが選択したアプリケーション・ソフトウェアをアクティブ・アプリケーションとした場合、前記コンピュータによって判別されたアクティブ・アプリケーションと、前記コンピュータで実行されるアプリケーション・ソフトウェアごとに前記ビデオ回路を調整するためのパラメータを対応付けたパラメータ・テーブルとに基づき、前記通信インターフェイスを介して前記アクティブ・アプリケーションに応じたパラメータを受信し、前記パラメータにより前記ビデオ回路を調整する制御手段と、
を備えたことを特徴とするディスプレイ装置。
【請求項９】
コンピュータに内蔵されたグラフィック・コントローラからの出力信号に基づきビデオ回路を介して画像を表示するディスプレイ装置において、
前記コンピュータとの間における通信に使用される通信インターフェイスと、
アプリケーション・ソフトウェアと画質モードとを対応付けた画質モード・テーブルと、前記コンピュータで実行されるアプリケーション・ソフトウェアごとに前記ビデオ回路を調整するためのパラメータを対応付けたパラメータ・テーブルとを予め記憶しているコンピュータで実行され、かつユーザが選択したアプリケーション・ソフトウェアをアクティブ・アプリケーションとした場合、前記コンピュータによって判別されて前記通信インターフェイスを介して受信したアクティブ・アプリケーションの前記パラメータにより前記ビデオ回路を調整する制御手段と、
を備えたことを特徴とするディスプレイ装置。
【請求項１０】
請求項３，５，７のいずれかに記載のディスプレイ装置において、
前記第１の記憶手段は、アプリケーション・ソフトウェアの表示状態に応じてパラメータがさらに対応付け可能であり、
アクティブ・アプリケーションに対して、表示状態に応じたパラメータが対応付けられている場合には、前記ビデオ回路を調整することを特徴とするディスプレイ装置。
【請求項１１】
請求項４または６に記載のディスプレイ装置において、
前記第１の記憶手段は、アプリケーション・ソフトウェアの表示状態に応じて画質モードがさらに対応付け可能であり、
アクティブ・アプリケーションに対して表示状態に応じた画質モードが対応付けられている場合には、前記ビデオ回路を調整することを特徴とするディスプレイ装置。
【請求項１２】
請求項３，５，７，１０のいずれかに記載のディスプレイ装置において、
前記第１の記憶手段は、アプリケーション・ソフトウェアと前記グラフィック・コントローラの画質調整値とをさらに対応付け可能であり、
アクティブ・アプリケーションに対して画質調整値が対応付けられている場合には、前記グラフィック・コントローラを調整することを特徴とするディスプレイ装置。
【請求項１３】
請求項４，６，１１のいずれかに記載のディスプレイ装置において、
前記第１の記憶手段は、アプリケーション・ソフトウェアの画質モードと前記グラフィック・コントローラの画質調整値とをさらに対応付け可能であり、
アクティブ・アプリケーションの画質モードに対して画質調整値が対応付けられている場合には、前記グラフィック・コントローラを調整することを特徴とするディスプレイ装置。
【請求項１４】
請求項３ないし９のいずれかに記載のディスプレイ装置において、
前記第１の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とするディスプレイ装置。
【請求項１５】
請求項１２ないし１４のいずれかに記載のディスプレイ装置において、
前記画質調整値は、少なくともガンマ値と解像度のいずれか一方を含むことを特徴とするディスプレイ装置。
【請求項１６】
請求項３ないし８のいずれかに記載のディスプレイ装置において、
前記パラメータは、ガンマ値、コントラスト、ブライトネス、色温度、輪郭補正のうち、少なくともいずれか一つを含むことを特徴とするディスプレイ装置。
【請求項１７】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
前記コンピュータで実行されるアプリケーション・ソフトウェアごとに前記ビデオ回路を調整するためのパラメータを対応付けたパラメータ・テーブルを予め記憶する第１の記憶手段と、
パラメータに基づき前記ビデオ回路を調整する制御手段とを備え、
前記コンピュータは、
アクティブ・アプリケーションを判別する判別手段を備え、
前記通信インターフェイスを介して前記コンピュータから受信したアクティブ・アプリケーション情報とパラメータ・テーブルとに基づき、前記制御手段が前記ビデオ回路を調整するようにしたことを特徴とする画像表示システム。
【請求項１８】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、
パラメータに応じて前記ビデオ回路を調整する制御手段とを備え、
前記コンピュータは、
アクティブ・アプリケーションを判別する判別手段を備え、
前記通信インターフェイスを介して前記コンピュータから受信したアクティブ・アプリケーション情報と、画質モード・テーブル及びパラメータ・テーブルとに基づき、前記制御手段が前記ビデオ回路を調整するようにしたことを特徴とする画像表示システム。
【請求項１９】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
前記ビデオ回路を調整するためのパラメータと画質モードとを対応付けたパラメータ・テーブルを予め記憶する第１の記憶手段と、
パラメータに応じて前記ビデオ回路を調整する制御手段とを備え、
前記コンピュータは、
アクティブ・アプリケーションを判別する判別手段と、
アプリケーション・ソフトウェアと画質モードとを対応付けた画質モード・テーブルを予め記憶する第２の記憶手段とを備え、
前記通信インターフェイスを介して前記コンピュータから受信した画質モードに基づき、前記制御手段が前記ビデオ回路を調整するようにしたことを特徴とする画像表示システム。
【請求項２０】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
パラメータに応じて前記ビデオ回路を調整する制御手段を備え、
前記コンピュータは、
アクティブ・アプリケーションを判別する判別手段と、
アプリケーション・ソフトウェアごとに前記ビデオ回路を調整するためのパラメータを対応付けたパラメータ・テーブルを予め記憶する第２の記憶手段とを備え、
前記通信インターフェイスを介して前記コンピュータから受信したパラメータに基づき、前記制御手段が前記ビデオ回路を調整するようにしたことを特徴とする画像表示システム。
【請求項２１】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
パラメータに応じて前記ビデオ回路を調整する制御手段を備え、
前記コンピュータは、
アクティブ・アプリケーションを判別する判別手段と、
アプリケーション・ソフトウェアと画質モードとを対応付けた画質モード・テーブルと、前記ビデオ回路を調整するためのパラメータと画質モードとを対応付けたパラメータ・テーブルとを予め記憶する第２の記憶手段とを備え、
前記通信インターフェイスを介して前記コンピュータから受信したパラメータに基づき、前記制御手段が前記ビデオ回路を調整するようにしたことを特徴とする画像表示システム。
【請求項２２】
請求項１７に記載の画像表示システムにおいて、
前記第１の記憶手段は、アプリケーション・ソフトウェアの表示状態に応じてパラメータがさらに対応付け可能であり、
アクティブ・アプリケーションに対して、表示状態に応じたパラメータが対応付けられている場合には、前記ビデオ回路を調整することを特徴とする画像表示システム。
【請求項２３】
請求項２０に記載の画像表示システムにおいて、
前記第２の記憶手段は、アプリケーション・ソフトウェアの表示状態に応じてパラメータがさらに対応付け可能であり、
アクティブ・アプリケーションに対して、表示状態に応じたパラメータが対応付けられている場合には、前記ビデオ回路を調整することを特徴とする画像表示システム。
【請求項２４】
請求項１８に記載の画像表示システムにおいて、
前記第１の記憶手段は、アプリケーション・ソフトウェアの表示状態に応じて画質モードがさらに対応付け可能であり、
アクティブ・アプリケーションに対して表示状態に応じた画質モードが対応付けられている場合には、前記ビデオ回路を調整することを特徴とする画像表示システム。
【請求項２５】
請求項２１に記載の画像表示システムにおいて、
前記第２の記憶手段は、アプリケーション・ソフトウェアの表示状態に応じて画質モードがさらに対応付け可能であり、
アクティブ・アプリケーションに対して表示状態に応じた画質モードが対応付けられている場合には、前記ビデオ回路を調整することを特徴とする画像表示システム。
【請求項２６】
請求項１７または１８に記載の画像表示システムにおいて、
前記第１の記憶手段は、画質モードと前記グラフィック・コントローラの画質調整値とをさらに対応付け可能であり、
アクティブ・アプリケーションに対応付けられた画質モードに対して画質調整値が対応付けられている場合には、前記グラフィック・コントローラを調整することを特徴とする画像表示システム。
【請求項２７】
請求項１９ないし２１のいずれかに記載の画像表示システムにおいて、
前記第２の記憶手段は、画質モードと前記グラフィック・コントローラの画質調整値とをさらに対応付け可能であり、
アクティブ・アプリケーションに対応付けられた画質モードに対して画質調整値が対応付けられている場合には、前記グラフィック・コントローラを調整することを特徴とする画像表示システム。
【請求項２８】
請求項１８または１９に記載の画像表示システムにおいて、
前記第１の記憶手段は、画質モードと前記グラフィック・コントローラの画質調整値とをさらに対応付け可能であり、
アクティブ・アプリケーションに対応付けられた画質モードに対して画質調整値が対応付けられている場合には、前記グラフィック・コントローラを調整することを特徴とする画像表示システム。
【請求項２９】
請求項２１に記載の画像表示システムにおいて、
前記第２の記憶手段は、画質モードと前記グラフィック・コントローラの画質調整値とをさらに対応付けて記憶可能であり、
アクティブ・アプリケーションに対応付けられた画質モードに対して画質調整値が対応付けられている場合には、前記グラフィック・コントローラを調整することを特徴とする画像表示システム。
【請求項３０】
請求項１７または１８に記載の画像表示システムにおいて、
前記第１の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とする画像表示システム。
【請求項３１】
請求項１９ないし２１のいずれかに記載の画像表示システムにおいて、
前記第２の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とする画像表示システム。
【請求項３２】
請求項２６ないし３１のいずれかに記載の画像表示システムにおいて、
前記画質調整値は、少なくともガンマ値と解像度のいずれか一方を含むことを特徴とする画像表示システム。
【請求項３３】
請求項１７ないし２１のいずれかに記載の画像表示システムにおいて、
前記パラメータは、ガンマ値、コントラスト、ブライトネス、色温度、輪郭補正のうち、少なくともいずれか一つを含むことを特徴とする画像表示システム。
【発明の詳細な説明】
【技術分野】
【０００１】
この発明は、液晶表示装置を用いたディスプレイ装置やＣＲＴを用いたディスプレイ装置などのディスプレイ装置に対して、コンピュータに取り付けられたグラフィック・コントローラからの出力信号に基づいて画像を表示するためのディスプレイ装置及び画像表示システムに関する。
【背景技術】
【０００２】
コンピュータに接続されたディスプレイ装置には、ユーザが処理の目的に応じてコンピュータに実行させているアプリケーション・ソフトウェアが表示されている。一般的に、ディスプレイ装置には複数個のウインドウが表示され、各ウインドウ内にアプリケーション・ソフトウェアの実行画面やそれに関する画面が表示されている。
【０００３】
上記のアプリケーション・ソフトウェアとしては、例えば、主としてテキスト処理を行なうワードプロセッサや、主として写真画像を処理するためのレタッチソフトなどがある。これらテキストや写真画像など取り扱う対象が異なるアプリケーション・ソフトウェアでは、ユーザが作業を行ないやすい、ディスプレイ装置における画質が大きく異なっているものである。そこで、従来のディスプレイ装置では、使用しているアプリケーション・ソフトウェアに応じてユーザが適宜に画質を調整して作業を行なっていた。
【発明の開示】
【発明が解決しようとする課題】
【０００４】
しかしながら、このような構成を有する従来例の場合には、次のような問題がある。
すなわち、ディスプレイ装置には複数個のウインドウが表示され、各ウインドウ内にアプリケーション・ソフトウェアが表示されているので、例えば、ユーザがワードプロセッサに適した画質に調整した状態において、ワードプロセッサが表示されているウインドウの裏側に位置していたレタッチソフトを選択した場合には、そのディスプレイ装置の画質はワードプロセッサに適した画質のままである。つまりレタッチソフトに不適切な画質のままでそのソフトを使用するか、あるいは画質をレタッチソフトに適したように調整する必要があり、選択したアプリケーション・ソフトウェアに応じて画質を手動で調整しなければならないという煩雑さがある。
【０００５】
上記の煩雑さを軽減するために、ディスプレイ装置に予め種々の画質をプリセットしておき、ユーザがアプリケーション・ソフトウェアを切り換えるたびに、ディスプレイ装置に配備されている画質選択ボタンでプリセットした画質の中から現在選択しているアプリケーション・ソフトウェアに適した画質に手動で切り換えるという手法がある。しかしながら、このような手法を用いても、画質の調整切り換えは、ユーザにとってはやはり繁雑な作業であることに変わりはない。
【０００６】
この発明は、このような事情に鑑みてなされたものであって、アプリケーション・ソフトウェアに予め対応付けておいたパラメータにより画質を自動的に切り換えることによって、選択されたアプリケーション・ソフトウェアに応じた適切な画質への切り換えが極めて容易にできるディスプレイ装置及び画像表示システムを提供することを目的とする。
【課題を解決するための手段】
【０００７】
この発明は、このような目的を達成するために、次のような構成をとる。
すなわち、請求項１に記載の発明は、コンピュータに内蔵されたグラフィック・コントローラからの出力信号に基づきビデオ回路を介して画像を表示するディスプレイ装置において、前記ビデオ回路を調整するためのパラメータをアプリケーション・ソフトウェアごとに予め対応付けておき、前記コンピュータで実行され、かつユーザが選択したアプリケーション・ソフトウェアをアクティブ・アプリケーションとした場合、前記アクティブ・アプリケーションに応じた前記対応付けに基づくパラメータにより前記ビデオ回路を調整する制御手段を備えたことを特徴とするものである。
【０００８】
[作用・効果] 請求項１に記載の発明によれば、ユーザによって選択されたコンピュータ側のアクティブ・アプリケーションに関連付けられたパラメータで制御手段がビデオ回路を調節するので、ユーザが意識することなく、選択されたアプリケーション・ソフトウェアに応じた適切な画質に自動的に切り換え可能である。したがって、ユーザに対する負担が極めて少なく、アプリケーション・ソフトウェアに応じたディスプレイ装置の画質切換が極めて容易にできる。
【０００９】
請求項２に記載の発明は、コンピュータに内蔵されたグラフィック・コントローラからの出力信号に基づきビデオ回路を介して画像を表示するディスプレイ装置において、前記ビデオ回路を調整するためのパラメータをアプリケーション・ソフトウェアの表示状態ごとに予め対応付けておき、前記コンピュータで実行され、かつユーザが選択したアプリケーション・ソフトウェアをアクティブ・アプリケーションとした場合、前記アクティブ・アプリケーションの表示状態に応じた前記対応付けに基づくパラメータにより前記ビデオ回路を調整する制御手段を備えたことを特徴とするものである。
【００１０】
[作用・効果] 請求項２に記載の発明によれば、ユーザによって選択されたコンピュータ側のアクティブ・アプリケーションの表示状態に関連付けられたパラメータで制御手段がビデオ回路を調節するので、ユーザが意識することなく、選択されたアプリケーション・ソフトウェアの表示状態に応じた適切な画質に自動的に切り換え可能である。したがって、ユーザに対する負担が極めて少なく、アプリケーション・ソフトウェアの表示状態に応じたディスプレイ装置の画質切換が極めて容易にできる。
【００１１】
請求項３に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行されるアプリケーション・ソフトウェアごとに前記ビデオ回路を調整するためのパラメータとを対応付けたパラメータ・テーブルを予め記憶する第１の記憶手段と、前記コンピュータで実行され、かつユーザが選択したアプリケーション・ソフトウェアをアクティブ・アプリケーションとした場合、前記通信インターフェイスを介して前記アクティブ・アプリケーションを判別するとともに、前記パラメータ・テーブルに基づき前記アクティブ・アプリケーションに応じた前記パラメータにより前記ビデオ回路を調整する制御手段と、を備えたことを特徴とするものである。
【００１２】
[作用・効果]請求項３に記載の発明によれば、コンピュータで実行され、ユーザによって選択されたアプリケーション・ソフトウェアがアクティブ・アプリケーションとして認識され、それが通信インターフェイスを介して判別される。そして、第１の記憶手段に記憶されているパラメータ・テーブルに基づき、制御手段がアクティブ・アプリケーションに応じた画質調整のパラメータでビデオ回路を調節する。パラメータ・テーブルを記憶する第１の記憶手段を備え、アクティブ・アプリケーションの判別を通信インターフェイスを介して行なう構成であっても上記請求項１と同様の効果を奏する。
【００１３】
請求項４に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、前記コンピュータで実行され、かつユーザが選択したアプリケーション・ソフトウェアをアクティブ・アプリケーションとした場合、前記通信インターフェイスを介して前記アクティブ・アプリケーションを判別するとともに、前記画質モード・テーブルと前記パラメータ・テーブルに基づき前記アクティブ・アプリケーションに応じた前記パラメータにより前記ビデオ回路を調整する制御手段と、を備えたことを特徴とするものである。
【００１４】
[作用・効果]請求項４に記載の発明によれば、コンピュータで実行され、ユーザによって選択されたアプリケーション・ソフトウェアがアクティブ・アプリケーションとして認識され、それが通信インターフェイスを介して判別される。そして、第１の記憶手段に記憶されている画質モード・テーブルとパラメータ・テーブルに基づき、制御手段がアクティブ・アプリケーションに応じた画質調整のパラメータでビデオ回路を調節する。画質モード・テーブルとパラメータ・テーブルを記憶する第１の記憶手段を備え、アクティブ・アプリケーションの判別を通信インターフェイスを介して行なう構成であっても上記請求項１と同様の効果を奏する。
【００１５】
請求項５に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行されるアプリケーション・ソフトウェアごとに前記ビデオ回路を調整するためのパラメータとを対応付けたパラメータ・テーブルを予め記憶する第１の記憶手段と、前記コンピュータで実行され、かつユーザが選択したアプリケーション・ソフトウェアをアクティブ・アプリケーションとした場合、前記コンピュータによって判別されたアクティブ・アプリケーション情報を前記通信インターフェイスを介して受信し、このアクティブ・アプリケーション情報と前記パラメータ・テーブルとに基づいて前記アクティブ・アプリケーションに応じた前記パラメータにより前記ビデオ回路を調整する制御手段と、を備えたことを特徴とするものである。
【００１６】
[作用・効果]請求項５に記載の発明によれば、コンピュータで実行され、ユーザによって選択されたアプリケーション・ソフトウェアがコンピュータ側でアクティブ・アプリケーションとして認識され、これがアプリケーション情報として通信インターフェイスを介してディスプレイ装置側で受信される。そして、第１の記憶手段に記憶されているパラメータ・テーブルに基づき、制御手段がアクティブ・アプリケーションに応じた画質調整のパラメータでビデオ回路を調節する。パラメータ・テーブルを記憶する第１の記憶手段を備え、アクティブ・アプリケーションの判別をコンピュータで行なってその情報を通信インターフェイスを介してディスプレイ装置に伝える構成であっても上記請求項１と同様の効果を奏する。
【００１７】
請求項６に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、前記コンピュータで実行され、かつユーザが選択したアプリケーション・ソフトウェアをアクティブ・アプリケーションとした場合、前記コンピュータによって判別されたアクティブ・アプリケーション情報を前記通信インターフェイスを介して受信し、このアクティブ・アプリケーション情報と、前記画質モード・テーブルと、前記パラメータ・テーブルとに基づき前記アクティブ・アプリケーションに応じた前記パラメータにより前記ビデオ回路を調整する制御手段と、を備えたことを特徴とするものである。
【００１８】
[作用・効果] 請求項６に記載の発明によれば、コンピュータで実行され、ユーザによって選択されたアプリケーション・ソフトウェアがコンピュータ側でアクティブ・アプリケーションとして認識され、これがアプリケーション情報として通信インターフェイスを介してディスプレイ装置側で受信される。そして、第１の記憶手段に記憶されている画質モード・テーブルとパラメータ・テーブルに基づき、制御手段がアクティブ・アプリケーションに応じた画質調整のパラメータでビデオ回路を調節する。画質モード・テーブルとパラメータ・テーブルを記憶する第１の記憶手段を備え、アクティブ・アプリケーションの判別をコンピュータで行なってその情報を通信インターフェイスを介してディスプレイ装置に伝える構成であっても上記請求項１と同様の効果を奏する。
【００１９】
請求項７に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記ビデオ回路を調整するためのパラメータと画質モードとを対応付けたパラメータ・テーブルとを予め記憶する第１の記憶手段と、アプリケーション・ソフトウェアと画質モードとを対応付けた画質モード・テーブルを予め記憶しているコンピュータで実行され、かつユーザが選択したアプリケーション・ソフトウェアをアクティブ・アプリケーションとした場合、前記コンピュータによって判別されて前記通信インターフェイスを介して受信したアクティブ・アプリケーションの画質モードと前記パラメータ・テーブルとに基づき前記アクティブ・アプリケーションに応じた前記パラメータにより前記ビデオ回路を調整する制御手段と、を備えたことを特徴とするものである。
【００２０】
[作用・効果] 請求項７に記載の発明によれば、コンピュータで実行され、ユーザによって選択されたアプリケーション・ソフトウェアがコンピュータ側でアクティブ・アプリケーションとして認識されるとともに、予め記憶してある画質モード・テーブルで判別された画質モードが通信インターフェイスを介してディスプレイ装置側で受信される。そして、第１の記憶手段に記憶されているパラメータ・テーブルに基づき、制御手段がアクティブ・アプリケーションに応じた画質調整のパラメータでビデオ回路を調節する。パラメータ・テーブルを記憶する第１の記憶手段を備え、画質モード・テーブルを記憶するコンピュータでアクティブ・アプリケーションの判別を行ない、コンピュータから画質モードを通信インターフェイスを介して受信する構成であっても上記請求項１と同様の効果を奏する。
【００２１】
請求項８に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行され、かつユーザが選択したアプリケーション・ソフトウェアをアクティブ・アプリケーションとした場合、前記コンピュータによって判別されたアクティブ・アプリケーションと、前記コンピュータで実行されるアプリケーション・ソフトウェアごとに前記ビデオ回路を調整するためのパラメータを対応付けたパラメータ・テーブルとに基づき、前記通信インターフェイスを介して前記アクティブ・アプリケーションに応じたパラメータを受信し、前記パラメータにより前記ビデオ回路を調整する制御手段と、を備えたことを特徴とするものである。
【００２２】
[作用・効果] 請求項８に記載の発明によれば、コンピュータで実行され、ユーザによって選択されたアプリケーション・ソフトウェアがコンピュータ側でアクティブ・アプリケーションとして認識されるとともに、予め記憶してあるパラメータ・テーブルで判別されたパラメータが通信インターフェイスを介してディスプレイ装置側で受信される。そして、制御手段がアクティブ・アプリケーションに応じた画質調整のパラメータでビデオ回路を調節する。パラメータ・テーブルを記憶するコンピュータでアクティブ・アプリケーションの判別を行ない、コンピュータからパラメータを通信インターフェイスを介して受信する構成であっても上記請求項１と同様の効果を奏する。
【００２３】
請求項９に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、アプリケーション・ソフトウェアと画質モードとを対応付けた画質モード・テーブルと、前記コンピュータで実行されるアプリケーション・ソフトウェアごとに前記ビデオ回路を調整するためのパラメータを対応付けたパラメータ・テーブルとを予め記憶しているコンピュータで実行され、かつユーザが選択したアプリケーション・ソフトウェアをアクティブ・アプリケーションとした場合、前記コンピュータによって判別されて前記通信インターフェイスを介して受信したアクティブ・アプリケーションの前記パラメータにより前記ビデオ回路を調整する制御手段と、を備えたことを特徴とするものである。
【００２４】
[作用・効果] 請求項９に記載の発明によれば、コンピュータで実行され、ユーザによって選択されたアプリケーション・ソフトウェアがコンピュータ側でアクティブ・アプリケーションとして認識されるとともに、予め記憶してある画質モード・テーブルとパラメータ・テーブルに基づき判別されたパラメータが通信インターフェイスを介してディスプレイ装置側で受信される。そして、制御手段がアクティブ・アプリケーションに応じた画質調整のパラメータでビデオ回路を調節する。画質モード・テーブルとパラメータ・テーブルを記憶するコンピュータでアクティブ・アプリケーションの判別を行ない、コンピュータからパラメータを通信インターフェイスを介して受信する構成であっても上記請求項１と同様の効果を奏する。
【００２５】
請求項１０に記載の発明は、請求項３，５，７のいずれかに記載のディスプレイ装置において、前記第１の記憶手段は、アプリケーション・ソフトウェアの表示状態に応じてパラメータがさらに対応付け可能であり、アクティブ・アプリケーションに対して、表示状態に応じたパラメータが対応付けられている場合には、前記ビデオ回路を調整することを特徴とするものである。
【００２６】
[作用・効果] 請求項１０に記載の発明によれば、第１の記憶手段は、アプリケーション・ソフトウェアの表示状態に応じてパラメータが対応付け可能に構成されており、その対応付けがされている場合には、さらにビデオ回路をパラメータに応じて調整する。アプリケーション・ソフトウェアの表示状態に応じてパラメータを対応付け可能なように第１の記憶手段を構成し、その対応付けがされている場合にはビデオ回路を調整して、アプリケーション・ソフトウェアの表示状態をも考慮した調整が可能となる。
【００２７】
請求項１１に記載の発明は、請求項４または６に記載のディスプレイ装置において、前記第１の記憶手段は、アプリケーション・ソフトウェアの表示状態に応じて画質モードがさらに対応付け可能であり、アクティブ・アプリケーションに対して表示状態に応じた画質モードが対応付けられている場合には、前記ビデオ回路を調整することを特徴とするものである。
【００２８】
[作用・効果] 請求項１１に記載の発明によれば、第１の記憶手段は、アプリケーション・ソフトウェアの表示状態に応じて画質モードが対応付け可能に構成されており、その対応付けがされている場合には、さらにビデオ回路を画質モードに応じて調整する。アプリケーション・ソフトウェアの表示状態に応じて画質モードを対応付け可能なように第１の記憶手段を構成し、その対応付けがされている場合にはビデオ回路を調整して、上記請求項１０と同様の効果を奏する。
【００２９】
請求項１２に記載の発明は、請求項３，５，７，１０のいずれかに記載のディスプレイ装置において、前記第１の記憶手段は、アプリケーション・ソフトウェアと前記グラフィック・コントローラの画質調整値とをさらに対応付け可能であり、アクティブ・アプリケーションに対して画質調整値が対応付けられている場合には、前記グラフィック・コントローラを調整することを特徴とするものである。
【００３０】
[作用・効果] 請求項１２に記載の発明によれば、第１の記憶手段は、アプリケーション・ソフトウェアと、グラフィック・コントローラの画質調整値が対応付け可能に構成されており、その対応付けがされている場合には、さらにグラフィック・コントローラを画質調整値に応じて調整する。アプリケーション・ソフトウェアと、グラフィック・コントローラの画質調整値が対応付け可能なように第１の記憶手段を構成し、その対応付けがされている場合にはさらにグラフィック・コントローラを調整することで、ディスプレイ装置側だけではできない画質調整を行なうことができる。
【００３１】
請求項１３に記載の発明は、請求項４，６，１１のいずれかに記載のディスプレイ装置において、前記第１の記憶手段は、アプリケーション・ソフトウェアの画質モードと前記グラフィック・コントローラの画質調整値とをさらに対応付け可能であり、アクティブ・アプリケーションの画質モードに対して画質調整値が対応付けられている場合には、前記グラフィック・コントローラを調整することを特徴とするものである。
【００３２】
[作用・効果] 請求項１３に記載の発明によれば、第１の記憶手段は、アプリケーション・ソフトウェアの画質モードと、グラフィック・コントローラの画質調整値が対応付け可能に構成されており、その対応付けがされている場合には、さらにグラフィック・コントローラを画質調整値に応じて調整する。アプリケーション・ソフトウェアの画質モードと、グラフィック・コントローラの画質調整値が対応付け可能なように第１の記憶手段を構成し、その対応付けがされている場合にはさらにグラフィック・コントローラを調整することで上記請求項１２と同様の効果を奏する。
【００３３】
請求項１４に記載の発明は、請求項３ないし９のいずれかに記載のディスプレイ装置において、前記第１の記憶手段は、アプリケーション・ソフトウェアの表示状態に応じて前記グラフィック・コントローラの画質調整値をさらに対応付け可能であり、アクティブ・アプリケーションに対して、表示状態に応じた画質調整値が対応付けられている場合には、前記グラフィック・コントローラを調整することを特徴とするものである。
【００３４】
[作用・効果] 請求項１４に記載の発明によれば、第１の記憶手段は、アプリケーション・ソフトウェアの表示状態に応じてグラフィック・コントローラの画質調整値がさらに対応付け可能に構成されており、その対応付けがされている場合には、さらにグラフィック・コントローラを画質調整値に応じて調整する。アプリケーション・ソフトウェアの表示状態に応じてグラフィック・コントローラの画質調整値が対応付け可能なように第１の記憶手段を構成し、その対応付けがされている場合には、さらにグラフィック・コントローラを調整することで上記請求項１２と同様の効果を奏する。
【００３５】
請求項１５に記載の発明は、請求項１２ないし１４のいずれかに記載のディスプレイ装置において、前記画質調整値は、少なくともガンマ値と解像度のいずれか一方を含むことを特徴とするものである。
【００３６】
[作用・効果] 請求項１５に記載の発明によれば、グラフィック・コントローラの画質調整値としては、少なくともガンマ値か解像度を含む。そして、グラフィック・コントローラの画質調整を、少なくともガンマ値か解像度で行なう。
【００３７】
請求項１６に記載の発明は、請求項３ないし８のいずれかに記載のディスプレイ装置において、前記パラメータは、ガンマ値、コントラスト、ブライトネス、色温度、輪郭補正のうち、少なくともいずれか一つを含むことを特徴とするものである。
【００３８】
[作用・効果] 請求項１６に記載の発明によれば、パラメータ・テーブルのパラメータは、ディスプレイ装置側におけるガンマ係数（入力に対する明るさの出力を示す特性曲線の係数）の補正値、コントラスト、明るさを示すブライトネス、色温度、輪郭補正（シャープネスとも呼ばれる）の少なくとも一つを含むものである。そして、ディスプレイ装置側における画質調整を、ガンマ値、コントラスト、ブライトネス、色温度、輪郭補正の少なくとも一つで行なう。
【００３９】
請求項１７に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、前記コンピュータで実行されるアプリケーション・ソフトウェアごとに前記ビデオ回路を調整するためのパラメータを対応付けたパラメータ・テーブルを予め記憶する第１の記憶手段と、パラメータに基づき前記ビデオ回路を調整する制御手段とを備え、前記コンピュータは、アクティブ・アプリケーションを判別する判別手段を備え、前記通信インターフェイスを介して前記コンピュータから受信したアクティブ・アプリケーション情報とパラメータ・テーブルとに基づき、前記制御手段が前記ビデオ回路を調整するようにしたことを特徴とするものである。
【００４０】
［作用・効果］コンピュータの判別手段がアクティブ・アプリケーションを判別し、アクティブ・アプリケーション情報として通信インターフェイスを介してディスプレイ装置に伝える。ディスプレイ装置は、アクティブ・アプリケーション情報と、第１の記憶手段に記憶されているパラメータ・テーブルに基づき、アクティブ・アプリケーションに応じてビデオ回路を調整して画質を調整する。これによりユーザが意識することなく、選択されたアプリケーション・ソフトウェアに応じた適切な画質に自動的に切り換え可能であり、ユーザに対する負担が極めて少なく、ディスプレイ装置の画質切換が極めて容易にできる。
【００４１】
請求項１８に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、前記コンピュータで実行されるアプリケーション・ソフトウェアと画質モードとを対応付けた画質モード・テーブルと、前記ビデオ回路を調整するためのパラメータと画質モードとを対応付けたパラメータ・テーブルとを予め記憶する第１の記憶手段と、パラメータに応じて前記ビデオ回路を調整する制御手段とを備え、前記コンピュータは、アクティブ・アプリケーションを判別する判別手段を備え、前記通信インターフェイスを介して前記コンピュータから受信したアクティブ・アプリケーション情報と、画質モード・テーブル及びパラメータ・テーブルとに基づき、前記制御手段が前記ビデオ回路を調整するようにしたことを特徴とするものである。
【００４２】
［作用・効果］コンピュータの判別手段がアクティブ・アプリケーションを判別し、アクティブ・アプリケーション情報として通信インターフェイスを介してディスプレイ装置に伝える。ディスプレイ装置は、アクティブ・アプリケーション情報と、第１の記憶手段に記憶されている画質モード・テーブルとパラメータ・テーブルに基づき、アクティブ・アプリケーションに応じてビデオ回路を調整して画質を調整する。画質モード・テーブルとパラメータ・テーブルを記憶する第１の記憶手段をディスプレイ装置に備え、アクティブ・アプリケーションの判別をコンピュータの判別手段で行なってその情報を通信インターフェイスを介してディスプレイ装置で受信する構成を採っても、上記請求項１７と同様の効果を奏する。
【００４３】
請求項１９に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、前記ビデオ回路を調整するためのパラメータと画質モードとを対応付けたパラメータ・テーブルを予め記憶する第１の記憶手段と、パラメータに応じて前記ビデオ回路を調整する制御手段とを備え、前記コンピュータは、アクティブ・アプリケーションを判別する判別手段と、アプリケーション・ソフトウェアと画質モードとを対応付けた画質モード・テーブルを予め記憶する第２の記憶手段とを備え、前記通信インターフェイスを介して前記コンピュータから受信した画質モードに基づき、前記制御手段が前記ビデオ回路を調整するようにしたことを特徴とするものである。
【００４４】
［作用・効果］コンピュータの判別手段がアクティブ・アプリケーションを判別し、第２の記憶手段に記憶されている画質モード・テーブルに基づき対応する画質モードを通信インターフェイスを介してディスプレイ装置に伝える。ディスプレイ装置は、画質モードと、第１の記憶手段に記憶されているパラメータ・テーブルに基づき、アクティブ・アプリケーションに応じてビデオ回路を調整して画質を調整する。パラメータ・テーブルを記憶する第１の記憶手段をディスプレイ装置に備え、画質モード・テーブルを記憶する第２の記憶手段をコンピュータに備え、アクティブ・アプリケーションの判別をコンピュータの判別手段で行ない、それに応じた画質モードを通信インターフェイスを介してディスプレイ装置で受信する構成を採っても、上記請求項１７と同様の効果を奏する。
【００４５】
請求項２０に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、パラメータに応じて前記ビデオ回路を調整する制御手段を備え、前記コンピュータは、アクティブ・アプリケーションを判別する判別手段と、アプリケーション・ソフトウェアごとに前記ビデオ回路を調整するためのパラメータを対応付けたパラメータ・テーブルを予め記憶する第２の記憶手段とを備え、前記通信インターフェイスを介して前記コンピュータから受信したパラメータに基づき、前記制御手段が前記ビデオ回路を調整するようにしたことを特徴とするものである。
【００４６】
［作用・効果］コンピュータの判別手段がアクティブ・アプリケーションを判別し、第２の記憶手段に記憶されているパラメータ・テーブルに基づき対応するパラメータを通信インターフェイスを介してディスプレイ装置に伝える。ディスプレイ装置は、パラメータに基づき、アクティブ・アプリケーションに応じてビデオ回路を調整して画質を調整する。パラメータ・テーブルを記憶する第２の記憶手段をコンピュータに備え、アクティブ・アプリケーションの判別をコンピュータの判別手段で行なって、パラメータを通信インターフェイスを介してディスプレイ装置で受信する構成を採っても、上記請求項１７と同様の効果を奏する。
【００４７】
請求項２１に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、パラメータに応じて前記ビデオ回路を調整する制御手段を備え、前記コンピュータは、アクティブ・アプリケーションを判別する判別手段と、アプリケーション・ソフトウェアと画質モードとを対応付けた画質モード・テーブルと、前記ビデオ回路を調整するためのパラメータと画質モードとを対応付けたパラメータ・テーブルとを予め記憶する第２の記憶手段とを備え、前記通信インターフェイスを介して前記コンピュータから受信したパラメータに基づき、前記制御手段が前記ビデオ回路を調整するようにしたことを特徴とするものである。
【００４８】
［作用・効果］コンピュータの判別手段がアクティブ・アプリケーションを判別し、第２の記憶手段に記憶されている画質モード・テーブルとパラメータ・テーブルに基づき対応するパラメータを通信インターフェイスを介してディスプレイ装置に伝える。ディスプレイ装置は、パラメータに基づき、アクティブ・アプリケーションに応じてビデオ回路を調整して画質を調整する。画質モード・テーブルとパラメータ・テーブルを記憶する第２の記憶手段をコンピュータに備え、アクティブ・アプリケーションの判別をコンピュータの判別手段で行なって、パラメータを通信インターフェイスを介してディスプレイ装置で受信する構成を採っても、上記請求項１７と同様の効果を奏する。
【００４９】
請求項２２に記載の発明は、請求項１７に記載の画像表示システムにおいて、前記第１の記憶手段は、アプリケーション・ソフトウェアの表示状態に応じてパラメータがさらに対応付け可能であり、アクティブ・アプリケーションに対して、表示状態に応じたパラメータが対応付けられている場合には、前記ビデオ回路を調整することを特徴とするものである。
【００５０】
［作用・効果］第１の記憶手段は、アプリケーション・ソフトウェアの表示状態に応じてパラメータがさらに対応付け可能に構成されており、その対応付けがされている場合には、さらにビデオ回路を調整する。アプリケーション・ソフトウェアの表示状態に応じてパラメータを対応付け可能なようにディスプレイ装置の第１の記憶手段を構成し、その対応付けがされている場合にはアプリケーション・ソフトウェアの表示状態をも考慮した調整が可能となる。
【００５１】
請求項２３に記載の発明は、請求項２０に記載の画像表示システムにおいて、前記第２の記憶手段は、アプリケーション・ソフトウェアの表示状態に応じてパラメータがさらに対応付け可能であり、アクティブ・アプリケーションに対して、表示状態に応じたパラメータが対応付けられている場合には、前記ビデオ回路を調整することを特徴とするものである。
【００５２】
［作用・効果］第２の記憶手段は、アプリケーション・ソフトウェアの表示状態に応じてパラメータがさらに対応付け可能に構成されており、その対応付けがされている場合には、さらにビデオ回路を調整する。アプリケーション・ソフトウェアの表示状態に応じてパラメータを対応付け可能なようにコンピュータの第２の記憶手段を構成し、その対応付けがされている場合には上記請求項２２と同様の効果を奏する。
【００５３】
請求項２４に記載の発明は、請求項１８に記載の画像表示システムにおいて、前記第１の記憶手段は、アプリケーション・ソフトウェアの表示状態に応じて画質モードがさらに対応付け可能であり、アクティブ・アプリケーションに対して表示状態に応じた画質モードが対応付けられている場合には、前記ビデオ回路を調整することを特徴とするものである。
【００５４】
［作用・効果］第２の記憶手段は、アプリケーション・ソフトウェアの表示状態に応じて画質モードがさらに対応付け可能に構成されており、その対応付けがされている場合には、さらにビデオ回路を調整する。アプリケーション・ソフトウェアの表示状態に応じて画質モードを対応付け可能なようにディスプレイ装置の第１の記憶手段を構成し、その対応付けがされている場合には上記請求項２２と同様の効果を奏する。
【００５５】
請求項２５に記載の発明は、請求項２１に記載の画像表示システムにおいて、前記第２の記憶手段は、アプリケーション・ソフトウェアの表示状態に応じて画質モードがさらに対応付け可能であり、アクティブ・アプリケーションに対して表示状態に応じた画質モードが対応付けられている場合には、前記ビデオ回路を調整することを特徴とするものである。
【００５６】
［作用・効果］第２の記憶手段は、アプリケーション・ソフトウェアの表示状態に応じて画質モードがさらに対応付け可能に構成されており、その対応付けがされている場合には、さらにビデオ回路を調整する。アプリケーション・ソフトウェアの表示状態に応じて画質モードを対応付け可能なようにコンピュータの第２の記憶手段を構成し、その対応付けがされている場合には上記請求項２２と同様の効果を奏する。
【００５７】
請求項２６に記載の発明は、請求項１７または１８に記載の画像表示システムにおいて、前記第１の記憶手段は、画質モードと前記グラフィック・コントローラの画質調整値とをさらに対応付け可能であり、アクティブ・アプリケーションに対応付けられた画質モードに対して画質調整値が対応付けられている場合には、前記グラフィック・コントローラを調整することを特徴とするものである。
【００５８】
［作用・効果］第１の記憶手段は、アプリケーション・ソフトウェアと、グラフィック・コントローラの画質調整値がさらに対応付け可能に構成されており、その対応付けがされている場合には、さらにグラフィック・コントローラを調整する。アプリケーション・ソフトウェアとグラフィック・コントローラの画質調整値を対応付け可能なようにディスプレイ装置の第１の記憶手段を構成し、その対応付けがされている場合にはさらにグラフィック・コントローラを調整することで、ディスプレイ装置側だけではできない画質調整を行なうことができる。
【００５９】
請求項２７に記載の発明は、請求項１９ないし２１のいずれかに記載の画像表示システムにおいて、前記第２の記憶手段は、アプリケーション・ソフトウェアと前記グラフィック・コントローラの画質調整値とをさらに対応付け可能であり、アクティブ・アプリケーションに対応付けられた画質モードに対して画質調整値が対応付けられている場合には、前記グラフィック・コントローラを調整することを特徴とするものである。
【００６０】
［作用・効果］第２の記憶手段は、画質モードと、グラフィック・コントローラの画質調整値がさらに対応付け可能に構成されており、その対応付けがされている場合には、さらにグラフィック・コントローラを調整する。アプリケーション・ソフトウェアとグラフィック・コントローラの画質調整値を対応付け可能なようにコンピュータの第２の記憶手段を構成し、その対応付けがされている場合にはさらにグラフィック・コントローラを調整する構成としても、上記請求項２６と同様の効果を奏する。
【００６１】
請求項２８に記載の発明は、請求項１８または１９に記載の画像表示システムにおいて、前記第１の記憶手段は、画質モードと前記グラフィック・コントローラの画質調整値とをさらに対応付け可能であり、アクティブ・アプリケーションに対応付けられた画質モードに対して画質調整値が対応付けられている場合には、前記グラフィック・コントローラを調整することを特徴とするものである。
【００６２】
［作用・効果］第１の記憶手段は、画質モードと、グラフィック・コントローラの画質調整値がさらに対応付け可能に構成されており、その対応付けがされている場合には、さらにグラフィック・コントローラを調整する。画質モードに応じてグラフィック・コントローラの画質調整値を対応付け可能なようにディスプレイ装置の第１の記憶手段を構成し、その対応付けがされている場合にはさらにグラフィック・コントローラを調整する構成としても、上記請求項２６と同様の効果を奏する。
【００６３】
請求項２９に記載の発明は、請求項２１に記載の画像表示システムにおいて、  前記第２の記憶手段は、画質モードと前記グラフィック・コントローラの画質調整値とをさらに対応付けて記憶可能であり、アクティブ・アプリケーションに対応付けられた画質モードに対して画質調整値が対応付けられている場合には、前記グラフィック・コントローラを調整することを特徴とするものである。
【００６４】
［作用・効果］第２の記憶手段は、画質モードと、グラフィック・コントローラの画質調整値がさらに対応付け可能に構成されており、その対応付けがされている場合には、さらにグラフィック・コントローラを調整する。画質モードとグラフィック・コントローラの画質調整値を対応付け可能なようにコンピュータの第２の記憶手段を構成し、その対応付けがされている場合にはさらにグラフィック・コントローラを調整する構成としても、上記請求項２６と同様の効果を奏する。
【００６５】
請求項３０に記載の発明は、請求項１７または１８に記載の画像表示システムにおいて、前記第１の記憶手段は、アプリケーション・ソフトウェアの表示状態に応じて前記グラフィック・コントローラの画質調整値をさらに対応付け可能であり、アクティブ・アプリケーションに対して、表示状態に応じた画質調整値が対応付けられている場合には、前記グラフィック・コントローラを調整することを特徴とするものである。
【００６６】
［作用・効果］第１の記憶手段は、アプリケーション・ソフトウェアの表示状態に応じてグラフィック・コントローラの画質調整値がさらに対応付け可能に構成されており、その対応付けがされている場合には、さらにグラフィック・コントローラを画質調整値に応じて調整する。アプリケーション・ソフトウェアの表示状態に応じてグラフィック・コントローラの画質調整値を対応付け可能なようにディスプレイ装置の第１の記憶手段を構成し、その対応付けがされている場合にはさらにグラフィック・コントローラを調整することで、ディスプレイ装置側だけではできない画質調整を行なうことができるとともに、アプリケーション・ソフトウェアの表示状態に応じた画質調整が可能となる。
【００６７】
請求項３１に記載の発明は、請求項１９ないし２１のいずれかに記載の画像表示システムにおいて、前記第２の記憶手段は、アプリケーション・ソフトウェアの表示状態に応じて前記グラフィック・コントローラの画質調整値をさらに対応付け可能であり、アクティブ・アプリケーションに対して、表示状態に応じた画質調整値が対応付けられている場合には、前記グラフィック・コントローラを調整することを特徴とするものである。
【００６８】
［作用・効果］第２の記憶手段は、アプリケーション・ソフトウェアの表示状態に応じてグラフィック・コントローラの画質調整値がさらに対応付け可能に構成されており、その対応付けがされている場合には、さらにグラフィック・コントローラを画質調整値に応じて調整する。アプリケーション・ソフトウェアの表示状態に応じてグラフィック・コントローラの画質調整値を対応付け可能なようにディスプレイ装置の第２の記憶手段を構成し、その対応付けがされている場合にはさらにグラフィック・コントローラを調整することで、上記請求項３０と同様の効果を奏する。
【００６９】
請求項３２に記載の発明は、請求項２６ないし３１のいずれかに記載の画像表示システムにおいて、前記画質調整値は、少なくともガンマ値と解像度のいずれか一方を含むことを特徴とするものである。
【００７０】
［作用・効果］請求項３２に記載の発明によれば、グラフィック・コントローラの画質調整値としては、少なくともガンマ値か解像度を含む。グラフィック・コントローラの画質調整を、少なくともガンマ値か解像度で行なう。
【００７１】
請求項３３に記載の発明は、請求項１７ないし２１のいずれかに記載の画像表示システムにおいて、前記パラメータは、ガンマ値、コントラスト、ブライトネス、色温度、輪郭補正のうち、少なくともいずれか一つを含むことを特徴とするものである。
【００７２】
［作用・効果］パラメータ・テーブルのパラメータは、ディスプレイ装置側におけるガンマ係数（入力に対する明るさの出力を示す特性曲線の係数）の補正値、コントラスト、明るさを示すブライトネス、色温度、輪郭補正（シャープネスとも呼ばれる）の少なくとも一つを含むものである。ディスプレイ装置側における画質調整を、ガンマ値、コントラスト、ブライトネス、色温度、輪郭補正の少なくとも一つで行なう。
【発明の効果】
【００７３】
この発明に係るディスプレイ装置によれば、ユーザによって選択されたコンピュータ側のアクティブ・アプリケーションに関連付けられたパラメータで制御手段がビデオ回路を調節するので、ユーザが意識することなく、選択されたアプリケーション・ソフトウェアに応じた適切な画質に自動的に切り換え可能である。したがって、ユーザに対する負担が極めて少なく、アプリケーション・ソフトウェアに応じたディスプレイ装置の画質切換が極めて容易にできる。
【発明を実施するための最良の形態】
【００７４】
以下、図面を参照してこの発明の一実施例を説明する。
図１はこの発明の一実施例に係り、ディスプレイ装置とコンピュータを含む画像表示システムの概略構成を示したブロック図である。
なお、この実施例が本願発明の請求項７及び請求項１９に対応する。
【００７５】
この画像表示システムは、画像を表示するデバイスであるディスプレイ装置１と、ディスプレイ装置１に対して画像に係る信号を出力するコンピュータ３とを備えている。ディスプレイ装置１は、例えば、ＣＲＴ５を備えており、ビデオ回路７からの信号によって画像が表示されるようになっている。このビデオ回路７は、後述するコンピュータ３が内蔵しているグラフィック・コントローラ２１に対してビデオケーブル８で接続されており、その出力信号に基づき動作する。
【００７６】
なお、グラフィック・コントローラ２１としては、コンピュータ３に内蔵されたものの他、コンピュータ３の拡張スロットなどに取り付けられる形態のグラフィック・カードも含まれる。
【００７７】
本発明の第１の記憶手段に相当するメモリ９は、上記のビデオ回路７を制御して画質を調節するためのパラメータを記憶している。具体的には、ディスプレイ装置１での画質が適切となるように、画質モードとパラメータとを予め対応付けたパラメータ・テーブルを記憶している。このパラメータ・テーブルに関する詳細は後述するが、具体的には図２の模式図に示すようなものである。
【００７８】
本発明における通信インターフェイスに相当するＵＳＢコントローラ１１には、コンピュータ３に接続されているＵＳＢケーブル１２が接続されている。このＵＳＢコントローラ１１は、主としてコンピュータ３との通信に使用されるものである。
【００７９】
制御部１３は、コンピュータ３で実行され、そのユーザによって選択されてアクティブにされたアプリケーション・ソフトウェア（以下、これをアクティブ・アプリケーションと称する）の画質モードを判別する。
【００８０】
具体的には、ＵＳＢコントローラ１１からアクティブ・アプリケーションの画質モードを取得する。そして、メモリ９に格納されているパラメータ・テーブルと、その画質モードとに基づき対応するパラメータを抽出し、そのパラメータでビデオ回路７を調整する。
【００８１】
なお、上記の制御部１３が本発明における制御手段に相当するものである。
【００８２】
コンピュータ３は、ＣＰＵ１５と、メモリ１７と、ハードディスク１９と、グラフィック・コントローラ２１とを備え、これらがバス２３を介して接続されている。
【００８３】
メモリ１７にはハードディスク１９から読み込まれて実行されたプログラムが常駐する。また、ハードディスク１９からは、必要に応じて画質モード・テーブル（図３参照）が読み込まれる。プログラムは、画質モード・テーブルにおける対応付けや設定をしたり、コンピュータ３で実行されている複数のアプリケーション・ソフトウェアのうち、いずれがユーザによって選択されたかを認識し、その画質モードを判別したりするように動作する。
【００８４】
ハードディスク１９は、オペレーティング・システムや各種プログラム、さらに画質モード・テーブルを格納している。
【００８５】
なお、上記のＣＰＵ１５が本発明の判別手段に相当し、メモリ１７が本発明における第２の記憶手段に相当する。
【００８６】
メモリ９に格納されているパラメータ・テーブルは、例えば、図２の模式図に示すように構成されている。つまり、９種類の画質モードと、ビデオ回路７を調整するためのパラメータとを対応させたテーブル形式のデータである。これらの対応付けは、予め工場調整時に設定されている。また、ユーザが好みに応じて自在に設定することもできる。
【００８７】
本実施例では、一例として９種類の画質モードを設定してある。具体的には、Ｔｅｘｔ，Ｂｒｏｗｓｅｒ，Ｐｉｃｔｕｒｅ，Ｇｒａｐｈｉｃ，ｓＲＧＢ，Ｍｏｖｉｅ１，Ｍｏｖｉｅ２，Ｍｏｖｉｅ３，Ｍｏｖｉｅ４である。
【００８８】
「Ｔｅｘｔ」モードは、標準的な画面表示であり、文章を書いたり、読んだりする場合に適した画質モードであり、主としてワードプロセッサなどに適している。「Ｂｒｏｗｓｅｒ」モードは、コントラストを少し強調補正した画面表示であり、ブラウザのような文章と写真が混在した画面の表示に好適な画質モードであり、「Ｐｉｃｔｕｒｅ」モードは、輝度を上げてコントラストを強調補正した画面表示であり、写真などの静止画像に適した画質モードである。
【００８９】
また、「Ｇｒａｐｈｉｃ」モードは、コントラスト強調補正せずに輝度を上げた明るい画面表示で、アニメーションやイラストなどに適している。「ｓＲＧＢ」モードは、Ｗｉｎｄｏｗｓ規格のｓＲＧＢに対応した画面表示であり、色温度が６５００Ｋに固定され、プリンタなど他の機器と色環境を統一化できるので、印刷などに適している。
【００９０】
「Ｍｏｖｉｅ１」モードは、高輝度でコントラストを強調補正した明るい画面表示で、フルスクリーンでのＤＶＤやＴＶなどの動画に適し、「Ｍｏｖｉｅ２」モードは、高輝度でコントラストを強調補正した明るい画面表示で、ＤＶＤやＴＶなどの動画を標準サイズ表示に適し、「Ｍｏｖｉｅ３」モードは、高輝度でコントラストを強調補正しない画面表示であって、シャープネスがかかり、「Ｍｏｖｉｅ４」モードは、高輝度でコントラストを強調補正しない画面表示であり、シャープネスもかからない。
【００９１】
上記の９種類の各画質モードにはパラメータとして、例えば、コントラストと、ブライトネスと、色温度と、低階調部のガンマ値であるガンマ１と、中間階調部のガンマ値であるガンマ２と、輪郭補正とを含んでいる。これらのパラメータは、予めデフォルト値として設定されているものやユーザ自身が適宜に設定可能に構成されているものがある。
【００９２】
なお、上述した全てのパラメータを設定する必要はなく、それらのうちいずれか一つだけを設定するように構成してもよい。
【００９３】
メモリ１７に格納されている画質モード・テーブルは、例えば、図３の模式図に示すように構成されている。つまり、上述した９種類の画質モードと、グラフィック・コントローラ２１を調整するための画質調整値とを、アプリケーション・ソフトウェアに対応させたテーブルである。これらの対応付けはユーザによって必要に応じて予め行なわれる。
【００９４】
この例では、アプリケーション・ソフトウェアの「ワードプロセッサ」に「Ｔｅｘｔ」モードを対応付け、「表計算」に「Ｔｅｘｔ」モードを対応付け、「レタッチ」に「Ｇｒａｐｈｉｃ」モードを対応付け、「動画再生」に「Ｗｉｎｄｏｗ  Ｍｏｖｉｅ」モードを対応付けてある。上記の「ワードプロセッサ」としては、例えば、マイクロソフト社のワードが代表的であり、「表計算」としてはマイクロソフト社のエクセルが代表的である。また、「レタッチ」としてはアドビ社のフォトショップが代表的であり、「動画再生」としてはマイクロソフト社のウインドウズメディアプレイヤが代表的である。
【００９５】
なお、上記の「Ｗｉｎｄｏｗ  Ｍｏｖｉｅ」モードは、他の画質モードとは異なり、図２のパラメータ・テーブルにおける画質モードの「Ｍｏｖｉｅ１」あるいは「Ｍｏｖｉｅ２」に対応付けられている。
【００９６】
画質モード・テーブルに設定される画質調整値は、例えば、ガンマ値と解像度が挙げられる。一般的には、ＴｅｘｔモードやＧｒａｐｈｉｃモードでは、これらを変更する必要性は少なく、デフォルトのままにしておくことが多い。つまり、図３中の符号γ−１〜３のガンマ値及び符号Ｒ−１〜３の解像度はデフォルト値であることが多い。
【００９７】
その一方、これらの設定が有用となるのは、「Ｗｉｎｄｏｗ  Ｍｏｖｉｅ」モードである。例えば、図３におけるガンマ値γ−４は、デフォルトよりも低く設定して輝度を下げるように設定することが好ましい。また、解像度Ｒ−４は、鑑賞に適した値に設定することが好ましい。
【００９８】
上記のグラフィック・コントローラ２１は、メモリ１７で実行されているオペレーティング・システムの指示に基づきディスプレイ装置１のビデオ回路７に対して描画に関する信号を出力する。その際には、上記の画質モード・テーブルが参照され、画質調整値がグラフィック・コントローラ２１に対して反映される。しかしながら、動画が表示される領域に対してだけはそのガンマ値が反映されないようになっている。この機能は一般的に『オーバー・レイ』と称され、現在市販されているグラフィック・コントローラやグラフィック・カードの多くがこの機能を備えている。
【００９９】
次に、画像表示システムの動作のうち要部を示した図４のフローチャートを参照しながら、上述した画像表示システムの動作について説明する。
【０１００】
なお、コンピュータ３では、ユーザによって複数のアプリケーション・ソフトウェアが既に実行されているものとする。また、以下に説明する処理は、アプリケーション・ソフトウェアが切り換えられた時点からの処理のうちの要部を示しており、切り換えられる度に以下の処理が実行される。
【０１０１】
ステップＳ１
例えば、ユーザが図示しないマウスなどのポインティング・デバイスを使ってウインドウの一つを選択することにより選ばれたアプリケーション・ソフトウェア、つまりアクティブ・アプリケーションをオペレーティング・システム（以下、ＯＳとする）が認識する。それを受けてプログラムがアクティブ・アプリケーションの画質モードを判別する。
【０１０２】
アクティブ・アプリケーションの認識及び画質モードの判別は、例えば、以下のようにして行なわれる。なお、ＯＳがＷｉｎｄｏｗｓである場合を例に採って説明する。
【０１０３】
まず、ＯＳがアクティブ・アプリケーションのＷｉｎｄｏｗハンドル（以下、ＡＨとする）を取得し、このＡＨを利用して、アクティブ・アプリケーションのプロセスＩＤ（以下、ＡＩＤとする）を取得する。次に、ＯＳ上で起動されているアプリケーション・ソフトウェアのプロセスＩＤ（ＯＳが実行中のプログラムを管理するためのＩＤ）の一覧を取得する。そして、ＯＳ上で起動されているアプリケーション・ソフトウェアのプロセス（以下、ＣＰとする）の一覧を取得する。
【０１０４】
次に、ＣＰからプロセスＩＤ（以下、ＣＩＤとする）を取得し、ＡＩＤとＣＩＤが一致しているか否かを判別する。そして、これらが一致している場合には、ＣＰからアプリケーション・ソフトウェアの実行プログラム名（拡張子がＥＸＥ）、すなわちアプリケーション・ソフトウェアを取得する。このアプリケーション・ソフトウェアについて画質モード・テーブルを照合し、このテーブルにそのアプリケーション・ソフトウェアがあるか否かによって画質モードを判別する。
【０１０５】
ステップＳ２
判別したアクティブ・アプリケーションと画質モード・テーブルに基づき、アクティブ・アプリケーションに応じたグラフィック・コントローラ２１の画質調整を行なう。さらに、アクティブ・アプリケーションに対応する画質モードをＵＳＢコントローラ１１を介してディスプレイ装置１に伝送する。
【０１０６】
このようにビデオ回路７だけでなく、グラフィック・コントローラ２１の画質調整値が対応付けられている場合には、グラフィック・コントローラ２１も調整することにより、ビデオ回路７だけでは調整できない画質調整が可能となっている。
【０１０７】
一例として、アクティブ・アプリケーションが「ワードプロセッサ」であったとする。その場合は、図３の画質モード・テーブルから画質モードが「Ｔｅｘｔ」であるので、これがディスプレイ装置１に伝送される。
【０１０８】
なお、アクティブ・アプリケーションの画質モードが、既に設定されている画質モードと同じである場合には処理を終了する。
【０１０９】
ステップＳ３
ディスプレイ装置１では、制御部１３が受け取った画質モードと、メモリ９のパラメータ・テーブルとに基づいて画質モードに対応するパラメータを読み出す。
【０１１０】
アクティブ・アプリケーションが「ワードプロセッサ」であって、その画質モードが「Ｔｅｘｔ」モードの場合には、図２のパラメータ・テーブルからコントラスト：１００、ブライトネス：１００、色温度：９３００Ｋ、ガンマ１：オフ、ガンマ２：オフ、輪郭補正：オフが読み出されることになる。
【０１１１】
ステップＳ４
制御部１３は、読み出したパラメータに応じてビデオ回路７を制御する。これによりアクティブ・アプリケーションに応じた画質でディスプレイ装置１に画像が表示されることになる。
【０１１２】
このようにユーザが選択したアプリケーション・ソフトウェアに関連付けられたパラメータで制御部１３がビデオ回路７を調節するので、ユーザが意識することなく、選択されたアプリケーション・ソフトウェアに応じた適切な画質に自動的に切り換えることができる。そのためユーザに対する負担が極めて少なく、ディスプレイ装置１の画質切換が極めて容易にできるようになっている。
【０１１３】
ところで、上述した９つの画質モードは、ビデオ回路７のパラメータを変更するだけで実現されている。そのためアクティブ・アプリケーションに応じた画質調整を行なうと、表示画面の全体が一律に調整されてしまう。「Ｍｏｖｉｅ１」等は、動画を最適に表示するために高輝度となるような画質モードであるが、動画以外の画像にとっては過度に明るく不適切な画質モードである。そのため動画をウインドウ表示させたとき、コンピュータ画像が過度に明るく見づらい画面となる。
【０１１４】
そこで、アクティブ・アプリケーションが動画再生に関するものであって、画質モード・テーブル中の画質モード「Ｗｉｎｄｏｗ  Ｍｏｖｉｅ」に対するガンマ値（図３中のγ−４）をデフォルト値から下げておく。この場合には、「Ｍｏｖｉｅ１」または「Ｍｏｖｉｅ２」に設定されたパラメータに応じてビデオ回路７が調整されるとともに、コンピュータ３のグラフィック・コントローラ２１のガンマ値が設定値γ−４に応じて調整される。上述したようにグラフィック・コントローラ２１には「オーバー・レイ」機能が備わっているのが一般的であるので、動画表示領域と動画以外の表示領域とを独立して制御可能であり、それらを独立して画質設定することができる。例えば、グラフィック・コントローラ２１のガンマ値がデフォルトあるいは動画以外の画像に最適となるように設定されている場合には、中間色を含む動画再生領域はやや暗めの表示となる。
【０１１５】
動画再生のアプリケーション・ソフトウェアに対する画質モードとして動画再生に適した、例えば「Ｍｏｖｉｅ１」を設定した場合には、動画表示領域が最適表示になる一方で、それ以外の表示領域が過度に明るくなる。その一方、上述したように「Ｗｉｎｄｏｗ  Ｍｏｖｉｅ」を画質モードとして設定し、かつ、そのガンマ値γ−４を低めに設定した場合には、グラフィック・コントローラ２１のガンマ値が制御されて輝度が低下されるとともに、例えば、「Ｗｉｎｄｏｗ  Ｍｏｖｉｅ」に対応する画質モード「Ｍｏｖｉｅ１」がディスプレイ装置１側に伝えられ、それに応じたパラメータでビデオ回路７が調整される。
【０１１６】
上述したように「オーバー・レイ」機能により動画が再生される領域についてはガンマ値が反映されないようになっているので、動画以外の例えばワードプロセッサなどが表示されている領域がガンマ値に応じて暗く表示される一方、動画が再生されている領域についてはそのままである。したがって、上述したようにガンマ値が下げられたとしても、動画再生の領域だけは明るく表示され、映画鑑賞等に適した画質のままとなる。
【０１１７】
また、動画やゲームなどのアプリケーション・ソフトウェアでは、高解像度で表示させるよりも低解像度で表示させた方が適した場合がある。このような場合には、画質モード・テーブルの解像度Ｒ−４を低解像度に設定しておくことが好ましい。
【０１１８】
なお、本発明は上記の実施形態に限定されるものではなく、以下のように変形実施も可能である。
【０１１９】
（１）上記の実施例ではコンピュータ３のＣＰＵ１５でアクティブ・アプリケーションを判別しているが、この判別をＵＳＢコントローラ１１を介してディスプレイ装置１側で行なうようにしてもよい。この場合には、例えば、アクティブ・アプリケーションの判別が可能な情報をコンピュータ３からディスプレイ装置１に伝送したり、コンピュータ３側のアクティブ・アプリケーションに係る情報をディスプレイ装置１側から読み取ったりすることで判断する。
【０１２０】
なお、この変形例におけるアクティブ・アプリケーションの判別手法は、本願発明の請求項３、４及び請求項１７に対応する。
【０１２１】
（２）上述した実施例でコンピュータ３のメモリ９に記憶していた画質モード・テーブルをディスプレイ装置１のメモリ１７に記憶するようにしてもよい。この場合には、コンピュータ３からアクティブ・アプリケーションに関する情報がディスプレイ装置１側に伝送され、そのアプリケーション情報に基づき、制御部１３によってアクティブ・アプリケーションの画質モードが判別される。
【０１２２】
なお、この変形例が本願発明の請求項６及び請求項１８に対応する。
【０１２３】
（３）実施例におけるパラメータ・テーブルと画質モード・テーブルとを両方ともコンピュータ３側のハードディスク１９に備えるようにしてもよい。この場合には、コンピュータ３側でアクティブ・アプリケーションに応じたパラメータを読み出し、パラメータ自体をディスプレイ装置１に伝送して画質を調整するようにする。
【０１２４】
なお、この変形例が本願発明の請求項９及び請求項２０に対応する。
【０１２５】
（４）画質モードとアプリケーション・ソフトウェアとを対応付けた画質モード・テーブルを用いることなく、アプリケーション・ソフトウェアとパラメータとを直接的に対応付けたパラメータ・テーブルを用いてもよい。その場合には、これに基づきアクティブ・アプリケーションに応じたパラメータを得るようにする。また、パラメータ・テーブルを備えるのは、ディスプレイ装置１側のメモリ９であってもコンピュータ３側のハードディスク１９であってもよい。前者ではアクティブ・アプリケーション情報をディスプレイ装置１に伝え、後者ではパラメータをディスプレイ装置１に伝えるようにする。
【０１２６】
なお、前者が本願発明の請求項５に対応し、後者が本願発明の請求項８及び請求項２０に対応する。
【０１２７】
（５）画質モード・テーブルは、アプリケーション・ソフトウェアと画質モードとの対応付けだけでもよく、画質調整値については対応付けなくてもよい。
【０１２８】
（６）画質調整値としては、ガンマ値と解像度の両方を備える必要はなく、いずれか一方だけでもよい。
【０１２９】
（７）通信インターフェイスとしては、ＵＳＢを用いることなくシリアルインターフェイスを用いてもよい。
【０１３０】
（８）通信インターフェイスとしては、グラフィック・コントローラ２１の出力信号に多重化などの手段で混在させたり、出力信号線数を増やしたりしてグラフィック・コントローラ２１から上記インターフェイスで伝送される情報を伝えるようにしてもよい。つまり、通信インターフェイスを一体化した構成を採用してもよい。
【０１３１】
（９）上述した「Ｗｉｎｄｏｗ  Ｍｏｖｉｅ」モードでは、アプリケーション・ソフトウェアの『表示状態』、例えば、アプリケーション・ソフトウェアがディスプレイ装置１に表示されている複数個のウインドウのうちの一つに表示されているか（これを「ウインドウ表示」と称する）、ディスプレイ装置１の全画面に表示されている、最大化された一つのウインドウに表示されているか（これを「フルスクリーン表示」と称する）の表示状態をも判別して、これに応じて画質モードを切り換えるようにしてもよい。
【０１３２】
具体的には、動画を「ウインドウ表示」している場合に、その動画と、他のウインドウに表示されているアプリケーション・ソフトウェアの表示とを両立させるように画質調整値を設定した第１の画質モードと（例えば「Ｍｏｖｉｅ２」）、動画を「フルスクリーン表示」している場合に、その動画だけに特化するように画質調整値を設定した第２の画質モード（例えば「Ｍｏｖｉｅ１」）とを切り換えるようにする。
【０１３３】
なお、「ウインドウ表示」と「フルスクリーン表示」は、例えば、ＯＳがＷｉｎｄｏｗｓの場合には次のようにして判別すればよい。
すなわち、まず、アクティブ・アプリケーションのＷｉｎｄｏｗハンドル（上述したようにＡＨとする）のクライアント領域の大きさ（以下、ＣＲとする）を取得し、ＡＨからディスプレイ装置１の全面領域の解像度（以下、ＭＲとする）を取得する。そして、ＣＲとＭＲが一致していれば、「フルスクリーン表示」であり不一致なら「ウインドウ表示」と判別すればよい。
【０１３４】
なお、この変形例が本願発明における請求項２に相当する。
【図面の簡単な説明】
【０１３５】
【図１】実施例に係る画像表示システムの概略構成を示したブロック図である。
【図２】パラメータ・テーブルの模式図である。
【図３】画質モード・テーブルの模式図である。
【図４】画像表示システムの動作のうち要部を示したフローチャートである。
【符号の説明】
【０１３６】
１  …  ディスプレイ装置
３  …  コンピュータ
５  …  ＣＲＴ
７  …  ビデオ回路
８  …  ビデオケーブル
９  …  メモリ（第１の記憶手段）
１１  …  ＵＳＢコントローラ（通信インターフェイス）
１３  …  制御部（制御手段）
１５  …  ＣＰＵ（判別手段）
１７  …  メモリ
１９  …  ハードディスク（第２の記憶手段）
２１  …  グラフィック・コントローラ
【図１】
2005165341.tif 000003
【図２】
2005165341.tif 000004
【図３】
2005165341.tif 000005
【図４】
2005165341.tif 000006